(57)【要約】      （修正有）【課題】舗装された道路上等の裂け目（目地）又は他の部分との接続面等に繁殖する雑草を容易に除去することができる除草用具を提供する。【解決手段】柄部１と、柄部１の一方端に固定された金属ブラシ本体２と、金属ブラシ本体２の背面に位置して固定された除草補助具である鎌３とから構成される。【選択図】図１
0003198109.tif 000002
【実用新案登録請求の範囲】
【請求項１】
柄と、該柄の一方端に固定された金属性ブラシ本体と、該ブラシの背面に位置して固定された除草補助具とから構成される除草用具。
【請求項２】
除草補助具は、鎌であることを特徴とする請求項１記載の除草用具。
【請求項３】
金属ブラシ本体と、除草補助具は、その基部を柄に取り外し可能に金具にて同時に固定されていることを特徴とする請求項１記載の除草用具。
【請求項４】
金属ブラシ本体と、除草補助具は、互いに一部を密着させていることを特徴とする請求項１記載の除草用具。
【考案の詳細な説明】
【技術分野】
【０００１】  本考案は、道路面に繁茂する雑草を除去するに好適な除草用具に関する。
【背景技術】
【０００２】  車道と歩道が分離された道路に於いて、コンクリートのフエンス等で分離されている道路が多い。この場合このフエンスの境目に雑草が繁茂し、景観を著しく阻害させ、見苦しくさせているが、この雑草は土が無ければ繁茂出来ない。
一般に土は風雨によって運ばれるが、そこにそれを留める草が無ければ再度風雨によって流されてしまう。しかし飛散してきた雑草の種子が少しの土で発芽すると、それに落葉が引っ掛かり、さらに土がそこに貯まり始め雑草の繁茂が始まるサイクルがある。
この循環を断ち切るには生えている雑草を切り取り除去する必要がある。しかしながら、雑草のほとんどは飛散してくる種子から発芽する一年草であり、これを除去するのが本考案の狙いである。【０００３】  ところが、ご承知のように長い時間しゃがんで除草作業行うことは身体に無理な姿勢が強いられ、いかに健常者であっても長時間の作業は苦痛で困難である。しゃがんで行う場合は個人差もあるが概ね継続２〜３時間で足腰を傷め長期治療に発展したケースも見受けられるため、立ち姿勢で容易に作業が出来る除草用具が求められている。
そこで、子鎌が着いた長い取手の物が市販されていて重宝しているが、大きな草はさておき、発芽したばかりの草や、小さな草の除草には不向きで効率的でないのと同時に難しい切り取り角度の作業が必要となり、経験が要求される。【０００４】  一方、夏季と冬季との寒暖差等に起因して生育した道路目地の雑草を回転ブラシで除去することが例えば特許文献１で知られている。
また、路面清掃用具として、ブラシ部分をワイヤーにして、箒部分を脱着可能にしたものも特許文献２で知られている。【０００５】  しかしながら、上記文献１は公共の清掃業者に主に使われ、大掛かりな装備が必要になるばかりでなく、狭い路地等では使用するのは不可能である。
他方、文献２では、ブラシ部分をワイヤーで構成した箒であり、灰等の比較的質量のある物質の除去には剛性があるので効果的と思われるが、雑草を除去する思想はなく、そのまま除草用具として利用することはできない。
【先行技術文献】
【特許文献】
【０００６】
【特許文献１】特開２０１４−６６０８０号公報
【特許文献２】実用新案登録第３１７６７１２号公報
【考案の概要】
【考案が解決しようとする課題】
【０００７】  車道と歩道が分離された道路に於いて、コンクリートのフエンス等で分離されている道路が多い。この場合このフエンスの境目に雑草が繁茂し、景観を著しく阻害させ、見苦しくさせているのが多く見受けられるが雑草は土が無ければ繁茂出来ない。土は風雨によって運ばれるが、そこにそれを留める草が無ければ再度風雨によって流れてしまう。しかし飛散してきた雑草の種子が少しの土で発芽すると、それに落葉が引っ掛かり、さらに土がそこに貯まり始め雑草の繁茂が始まるサイクルがある。この循環を断ち切るには生えている雑草を切り取り除去する必要がある。【０００８】  本考案は、アスファルトやコンクリート等で舗装された道路上等の裂け目（目地）又は他の部分との接続面あるいは一般道等に繁殖する雑草を容易に除去させることができる除草用具を提供するものである。
【課題を解決するための手段】
【０００９】  本考案は、柄と、該柄の一方端に固定された金属性ブラシ本体と、該ブラシの背面に位置して固定された除草補助具とから構成される除草用具によって達成される。【００１０】  本考案の好ましくは、除草補助具は、鎌である除草用具によって達成される。【００１１】  本考案の好ましくは、金属ブラシ本体と、除草補助具は、その元部を柄に取り外し可能に金具にて同時に固定されている除草用具によって達成される。【００１２】  本考案の好ましくは、金属ブラシ本体と、除草補助具は、互いに背面の一部若しくは全面を密着させている除草用具によって達成される。
【考案の効果】
【００１３】  本考案の一つは、柄と、該柄の一方端に固定された金属性ブラシ本体と、該ブラシの背面に位置して固定された除草補助具とから構成することによって、雑草を除去するための周囲環境を整えて、容易に除去できる除草用具が提供される。【００１４】  本考案の一つは、除草補助具として鎌をブラシの背面に備えているので、ブラシだけでは除草困難な雑草も容易に除去できる除草用具が提供される。【００１５】  本考案の一つは、金属ブラシ本体と、除草補助具は、その基部を柄に取り外し可能に金具にて同時に固定しているので、ブラシの摩耗に対する交換が容易であるばかりでなく、除草状況に応じて除草補助具を選択交換できる除草用具が提供される。【００１６】  本考案の一つは、金属ブラシ本体と、除草補助具は、互いに背面の一部若しくは全面を密着させていることにより金属ブラシにかかる応力を分散でき安定して作業ができる除草用具が提供される。
【図面の簡単な説明】
【００１７】
【図１】本考案における除草用具の側面図。
【図２】図１における上方拡大平面図。
【図３】図２における腰部拡斜視図。
【考案を実施するための形態】
【００１８】
【実施例】
【００１９】  以下、本考案の実施形態を図面に沿って説明する。
図１の１は除草作業者が握って作業する柄部で、この場合は木材を断面四角に形成した長方体を用いている。その長さは、作業者の身長にもよるが作業者がしゃがみ込まなくともよい程度で操作し易いものとしている。
次に柄部１の一方の先端部１１には長手方向をコの字状に開口した切込み溝１２が設けられていて、そこに金属ブラシ部２１を直埴した金属ブラシ本体２の一端２２と、除草補助具である鎌３の基部一端３１とが装着されている。【００１９】  ここで、金属ブラシ本体２と鎌３の一端の固定の仕方は周知の技術で多技にわたるが、ここでは頭部付ボルト４を上方から貫通させ、手作業の容易な蝶ナット１０で締め付け固定している。
また、金属ブラシ本体２と柄１の取り付け角度は、考案者自らが試作実演してみたところによれば４５度程度が好ましいことが分かり、図示形状もそのようになっている。【００２０】  次に、金属ブラシ本体２の先端（金ブラシ部が位置する部分に相当）２２は湾曲した形状を取っており、その背面には、前記した鎌３の背面がブラシ本体１に沿って対向配置している。この配置は、接しているのがもっと好ましく金属ブラシ部２１に必要以上の作業応力が加わってもそれを受け止めることができ、金属ブラシ本体１を変形させることなく安定して除草作業が行える。【００２１】  また、重要なのは、前記したブラシ本体２の湾曲形状である。金属ブラシ本体２を彎曲にすることによって、除草作業の際の金属ブラシ部２１の接地面をできるだけ少なくし、ブラシ本体１の前後移動をスムーズにするばかりでなく、除草用具の軽い操作が可能となり老若男女を問わず使いやすい除草用具となる。【００２２】  前述の実施形態では、柄部１を長方形の木材としているが、材質に関しては、金属、合成樹脂材等自由に選択してよく。また、形状に関しても何らこれにとらわれることがなく、断面丸形、断面長方形等でもよい。一方、持ち運び等を考慮するならば、折りたたみ式あるいは伸縮自在な構造にするならば移動が手軽になって便利であることは言うまでもない。【００２３】  さらには、除草補助具はかぎ状の金具でもよくその形状にとらわれずに雑草の回りを引っ掻き回せるものであれば、除草ブラシのかけにくかった場所や取り残し部分の除草も完璧となる。
なお、金属ブラシ部２１が摩耗した場合は前記した蝶ナット５を緩め、頭付ボルト４を外して行われるが、この構造に関してもこれに限定されるものではない。
【符号の説明】
【００２４】  １    柄部
１１  柄先端部
１２  切込み溝
２    金属ブラシ本体
２１  金属ブラシ部
２２  ブラシ一端
３    除草補助具（鎌）
３１  基部一端
４    頭部付ボルト
５    蝶ナット
【図１】
0003198109.tif 000003
【図２】
0003198109.tif 000004
【図３】
0003198109.tif 000005